【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  撮像素子と、
被写体光の撮像素子への透光と遮光を制御する遮光手段と、
上記遮光手段の遮光状態にて撮像素子を動作させて補正データを読出す第１読出し手段と、
上記遮光手段の透光状態にて撮像素子を動作させて画像データを読出す第２読出し手段と、
上記第１読出し手段の補正データに基いて上記第２読出し手段の画像データの補正を行う画像補正手段と
を具備し、
上記第２読出し手段の動作を実行する前の撮影準備動作と並行して上記第１読出し手段による動作を実行し、該第２読出し手段による動作が実行された後に上記画像補正手段を実行することを特徴とする電子カメラ。
【請求項２】  被写体像を撮像する撮像素子と、
上記撮像素子への露光量を制御するシャッタと、
被写体輝度に応じて露出秒時を算出し、上記シャッタを開いて該露出秒時の画像データを上記撮像素子から取込む撮影動作と、上記シャッタを閉じて該露出秒時の補正データを上記撮像素子から取込む補正データ取得動作と、を実行可能な制御回路と、
上記補正データ取得動作で取込まれた補正データに基いて上記撮影動作で取込まれた画像データを補正する補正動作を行う補正回路と、
を有した電子カメラに於いて、
上記撮影動作の後、上記補正動作を実行するために上記補正データ取得動作を該撮影動作の前に実行される撮影準備動作に並行して実行し、該撮影準備動作の終了時に上記補正データ取得動作が終了していないときは、該補正データ取得動作の終了を検出した後に上記撮影動作を実行することを特徴とする電子カメラ。
【請求項３】  被写体像を撮像する撮像素子と、
上記撮像素子への露光量を制御するシャッタと、
被写体輝度に応じて露出秒時を算出し、上記シャッタを開いて該露出秒時の画像データを上記撮像素子から取込む撮影動作と、上記シャッタを閉じて上記撮像素子を積分動作させて補正データを取込む補正データ取得動作と、を実行可能な制御回路と、
上記補正データ取得動作で取込まれた補正データに基いて上記撮影動作で取込まれた画像データを補正する補正動作を行う補正回路と、
を有した電子カメラに於いて、
上記撮影動作の後、上記補正動作を実行するために上記補正データ取得動作を該撮影動作の前に実行される撮影準備動作に並行して実行し、該撮影準備動作終了と共に該補正データ取得動作も動作を終了して積分動作の時間を記憶し、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものであることを特徴とする電子カメラ。
【請求項４】  上記撮影準備動作は、焦点検出動作、焦点調節のためのレンズ駆動動作、クイックリターンミラーの駆動動作、絞り駆動動作、撮影レンズの焦点距離調節動作及びストロボ装置の充電動作のうちの少なくとも１つを含むことを特徴とする請求項１乃至３の何れか１に記載の電子カメラ。
【手続補正２】
【補正対象書類名】明細書
【補正対象項目名】０００７
【補正方法】変更
【補正の内容】
【０００７】
【課題を解決するための手段】
すなわちこの発明は、撮像素子と、被写体光の撮像素子への透光と遮光を制御する遮光手段と、上記遮光手段の遮光状態にて撮像素子を動作させて補正データを読出す第１読出し手段と、上記遮光手段の透光状態にて撮像素子を動作させて画像データを読出す第２読出し手段と、上記第１読出し手段の補正データに基いて上記第２読出し手段の画像データの補正を行う画像補正手段とを具備し、上記第２読出し手段の動作を実行する前の撮影準備動作と並行して上記第１読出し手段による動作を実行し、該第２読出し手段による動作が実行された後に上記画像補正手段を実行することを特徴とする。
【手続補正３】
【補正対象書類名】明細書
【補正対象項目名】０００８
【補正方法】変更
【補正の内容】
【０００８】
またこの発明は、被写体像を撮像する撮像素子と、上記撮像素子への露光量を制御するシャッタと、被写体輝度に応じて露出秒時を算出し、上記シャッタを開いて該露出秒時の画像データを上記撮像素子から取込む撮影動作と、上記シャッタを閉じて該露出秒時の補正データを上記撮像素子から取込む補正データ取得動作と、を実行可能な制御回路と、上記補正データ取得動作で取込まれた補正データに基いて上記撮影動作で取込まれた画像データを補正する補正動作を行う補正回路と、を有した電子カメラに於いて、上記撮影動作の後、上記補正動作を実行するために上記補正データ取得動作を該撮影動作の前に実行される撮影準備動作に並行して実行し、該撮影準備動作の終了時に上記補正データ取得動作が終了していないときは、該補正データ取得動作の終了を検出した後に上記撮影動作を実行することを特徴とする。  
更にこの発明は、被写体像を撮像する撮像素子と、上記撮像素子への露光量を制御するシャッタと、被写体輝度に応じて露出秒時を算出し、上記シャッタを開いて該露出秒時の画像データを上記撮像素子から取込む撮影動作と、上記シャッタを閉じて上記撮像素子を積分動作させて補正データを取込む補正データ取得動作と、を実行可能な制御回路と、上記補正データ取得動作で取込まれた補正データに基いて上記撮影動作で取込まれた画像データを補正する補正動作を行う補正回路と、を有した電子カメラに於いて、上記撮影動作の後、上記補正動作を実行するために上記補正データ取得動作を該撮影動作の前に実行される撮影準備動作に並行して実行し、該撮影準備動作終了と共に該補正データ取得動作も動作を終了して積分動作の時間を記憶し、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものであることを特徴とする。
【手続補正４】
【補正対象書類名】明細書
【補正対象項目名】０００９
【補正方法】変更
【補正の内容】
【０００９】
この発明の電子カメラにあっては、被写体光の撮像素子への透光と遮光が遮光手段で制御され、上記遮光手段の遮光状態にて撮像素子が動作されて補正データが第１読出し手段にて読出される。一方、上記遮光手段の透光状態にて撮像素子が動作されて画像データが第２読出し手段にて読出される。また、画像補正手段により、上記第１読出し手段の補正データに基いて、上記第２読出し手段の画像データの補正が行われる。そして、上記第２読出し手段の動作が実行される前の撮影準備動作と並行して上記第１読出し手段による動作が実行され、該第２読出し手段による動作が実行された後に上記画像補正手段が実行される。
【手続補正５】
【補正対象書類名】明細書
【補正対象項目名】００１０
【補正方法】変更
【補正の内容】
【００１０】
またこの発明の電子カメラにあっては、被写体像を撮像する撮像素子への露光量がシャッタによって制御される。そして、被写体輝度に応じて露出秒時が算出され、上記シャッタが開かれて該露出秒時の画像データが上記撮像素子から取込まれる撮影動作と、上記シャッタが閉じられて該露出秒時の補正データが上記撮像素子から取込まれる補正データ取得動作と、制御回路にて実行可能である。上記補正データ取得動作で取込まれた補正データに基いて上記撮影動作で取込まれた画像データは、補正動作を行う補正回路によって補正される。そして、上記撮影動作の後、上記補正動作を実行するために上記補正データ取得動作が該撮影動作の前に実行される撮影準備動作に並行して実行され、該撮影準備動作の終了時に上記補正データ取得動作が終了していないときは、該補正データ取得動作の終了が検出された後に上記撮影動作が実行される。 
更にこの発明の電子カメラにあっては、被写体像を撮像する撮像素子への露光量がシャッタにより制御される。そして、被写体輝度に応じて露出秒時が算出され、上記シャッタが開かれて該露出秒時の画像データが上記撮像素子から取込まれる撮影動作と、上記シャッタが閉じられて上記撮像素子が積分動作されて補正データが取込まれる補正データ取得動作と、が制御回路により実行可能である。また、上記補正データ取得動作で取込まれた補正データに基いて上記撮影動作で取込まれた画像データが、補正動作を行う補正回路によって補正される。そして、上記撮影動作の後、上記補正動作を実行するために上記補正データ取得動作が該撮影動作の前に実行される撮影準備動作に並行して実行され、該撮影準備動作終了と共に該補正データ取得動作も動作が終了されて積分動作の時間が記憶され、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものである。